(57)【要約】【課題】  音楽編集作業の効率を向上する。【解決手段】  電子楽器１００は、切替部１１０とパネルセンサコントローラ１２０を備える。パネルセンサコントローラ１２０は、ユーザの指の接触を感知して、二次元位置情報を取得する。切替部１１０は、二次元位置情報の用途を切り替える。第１のモードでは、二次元位置情報は、画面上に表示されるポインタの操作に用いられる。第２のモードでは、二次元位置情報は、楽曲データにエフェクト情報を付加するのに用いられる。【選択図】  図３
0003113777.tif 000002
【実用新案登録請求の範囲】
【請求項１】
演奏情報を入力するための入力部と、
前記演奏情報から楽曲データを生成する楽曲データ生成部と、
情報端末へ信号を送信する送信部と、
操作者のタッチ操作により二次元位置情報を取得する平面状のパネルセンサと、
前記二次元位置情報の用途を、前記情報端末の操作のための第１の用途と、楽曲データのパラメータ設定のための第２の用途の間で切り替える切替部と、
前記第２の用途が選択された場合に、前記二次元位置情報を、前記パラメータ設定のためのパラメータ情報に変換する変換部と、
を備えることを特徴とする電子楽器。
【請求項２】
前記楽曲データの信号形式を、前記二次元位置情報を前記情報端末の操作に用いるときの信号形式と同一の信号形式に変更する信号形式変更部をさらに備えることを特徴とする請求項２に記載の電子楽器。
【考案の詳細な説明】
【技術分野】
【０００１】
この考案は、データ入力装置に関し、特にタッチパネル型コントローラを備える電子楽器に関する。
【背景技術】
【０００２】
コンピュータが単なる計算機の域を脱し、さまざまな機能、コンテンツを提供するマルチメディアツールとなって久しい。その一例として、いわゆるパーソナルコンピュータを利用したＤＴＭ（Ｄｅｓｋ  Ｔｏｐ  Ｍｕｓｉｃ）が挙げられる。コンピュータを用いた楽器の演奏や、作曲、編曲により、多様な人々が手軽に音楽を楽しむことができる環境の整備が進んでいる。例えば、電子楽器で生成されたＭＩＤＩ（Ｍｕｓｉｃａｌ  Ｉｎｓｔｒｕｍｅｎｔ  Ｄｉｇｉｔａｌ  Ｉｎｔｅｒｆａｃｅ）規格の楽曲データを利用する、コンピュータ上の作曲、編曲はプロアマ問わず幅広く行なわれている（例えば特許文献１参照）。
【特許文献１】特開２００３−１１４６８０号公報
【０００３】
上述のような、コンピュータを利用した作曲、編曲においては、パーソナルコンピュータに、ディスプレイ、キーボード、マウス、電子楽器、音源等多数の機器を接続する必要がある。接続の煩雑さ、これらの機器が占有する空間の確保、ユーザがデータ編集を行なう際に複数の入力機器を都度使い分けなくてはならない点等に不便さが有るといえる。
【考案の開示】
【考案が解決しようとする課題】
【０００４】
本考案者は以上の課題に基づき本考案をなしたもので、その目的は、コンピュータを用いる楽曲データの編集において、作業の効率を高めることにある。
【課題を解決するための手段】
【０００５】
本考案のある態様に係る電子楽器は、演奏情報を入力するための入力部と、演奏情報から楽曲データを生成する楽曲データ生成部と、情報端末へ信号を送信する送信部と、操作者のタッチ操作により二次元位置情報を取得する平面状のパネルセンサと、二次元位置情報の用途を、情報端末の操作のための第１の用途と、楽曲データのパラメータ設定のための第２の用途の間で切り替える切替部と、第２の用途が選択された場合に、二次元位置情報を、パラメータ設定のためのパラメータ情報に変換する変換部と、を備える。
【０００６】
「演奏情報」とは、ユーザが楽器をどのように演奏したかを示す情報であってよく、「楽曲データ」とは、デジタルデータとして記録される楽曲のデータであってよい。例えば、電子楽器が鍵盤型であれば、ユーザがどのキーをどのタイミングでどれだけ強くおしているかを示す演奏情報に基づいて、ＭＩＤＩデータ等の楽曲データが生成される。「情報端末」とは、例えばパーソナルコンピュータ等であってよく、その「操作」とはパーソナルコンピュータのオペレーティングシステムへの指示等であってよい。その場合、ディスプレイに表示されるポインタの操作等が含まれる。「パラメータ設定」は、音楽データ中の各パラメータを設定、変更する処理を含み、楽曲データにエフェクト情報を追加する処理が含まれる。
【０００７】
以上の態様の電子楽器においては、パネルセンサで取得した二次元情報を二つの用途に用いることができる。具体的に例示すれば、パネルセンサを用いたコントローラを、ポインティングデバイスとエフェクタとに切り替えて利用できる。複数の機器を一体化することになり、省スペース、持ち運びの簡便化、配線の省略等が図れる。また、ユーザの動作も簡略化できる。コントローラと電子楽器を分けて配置した場合、楽曲情報の打ち込み中に情報端末への指示が必要となると、ユーザはいちいち楽器上で楽曲情報の入力に用いていた手を、コントローラに伸ばし情報端末を操作した後、ふたたびその手を楽器に戻し、楽曲情報の入力を再開するという煩雑さが有るためである。両者が一体化していれば、ユーザの手元で楽曲情報の入力および情報端末の操作が可能となり、動作負担は軽減される。
【０００８】
本態様の電子楽器は、楽曲データの信号形式を、二次元位置情報を情報端末の操作に用いるときの信号形式と同一の信号形式に変更する信号形式変更部をさらに備えてもよい。楽曲データと情報端末操作のための指示を単一の情報経路で送信でき、配線の簡略化等につながる。
【０００９】
以上の各構成を任意に入れ替えたり、表現を記録媒体等に変更したものもまた、本考案として有効である。
【考案を実施するための最良の形態】
【００１０】
図１は、本考案に係る電子楽器を備える楽曲データ編集システムの一例を示す図である。楽曲データ編集システム１０は、電子楽器１００とコンピュータ２００とディスプレイ３００とコンピュータ用キーボード４００を備える。電子楽器１００は鍵盤型（キーボードタイプ）電子楽器である。以下では、区別のため電子楽器１００の各キーは鍵盤と総称し、コンピュータ用キーボード４００は単にキーボード４００と呼ぶ。電子楽器１００、ディスプレイ３００、キーボード４００はそれぞれコンピュータ２００に接続されている。
【００１１】
電子楽器１００はキーボード４００を保持する、フック状の機構４０２を備えており、キーボード４００は電子楽器１００上に着脱可能に配置される。後述するように、本システムにおける楽曲編集では、楽器の演奏とコンピュータへの指示が交互になされるため、鍵盤のような演奏用の構成と、キーボードは近接して配置された方が、作業効率が高まるためである。ただし、電子楽器１００の操作用のボタンやスイッチが多い場合、電子楽器１００上にキーボード４００を配置するほどのスペースがとれないような場合も考えられるため、この構成は必須ではなく、キーボード４００は電子楽器１００と分離して配置しても良い。
【００１２】
この楽曲データ編集システムは、ユーザが、電子楽器１００を演奏して演奏情報を入力し、それに基づいて生成されるＭＩＤＩデータをコンピュータ２００が提供する編集用のソフトウエア（以下、シーケンスソフトと呼ぶ）で編集するシステムである。従来のシステムとの最大の違いは、コンピュータ２００を操作するための専用のポインティングデバイス（マウス等）がないことである。後述するように、電子楽器１００に内設されたパネルセンサコントローラ１２０が、切替部１１０の設定にしたがって、一方ではポインティングデバイスとしての役割を果たし、他方ではエフェクタとしての機能を持つためである。まず、編集作業の具体例を以下に述べる。なお、図示するようにコントローラ１２０は、ポインティングデバイスとして使用されたときのためにクリック用のボタン１２１を備える。
【００１３】
シーケンスソフトはディスプレイ３００上に編集画面を表示する。図２は編集画面の一例を示す図である。編集画面には、パート欄３１０ａ、３１０ｂ、３１０ｃ・・と、楽器欄３２０ａ、３２０ｂ、３２０ｃ・・と録音・停止ボタン３３０ａ、３３０ｂ、３３０ｃと演奏データ欄３４０ａ、３４０ｂ、３４０ｃ・・が表示される。また、ポインタ３５０も表示される。
【００１４】
各パート欄にはデフォルトで「パート１」、「パート２」・・・という名称が付されている。ユーザは、ポインタで所望のパート欄を選び、各パートの名称をキーボード４００等で入力できる。図２では、パート１として「ギター１」の名称が、パート２として「ピアノ１」の名称が与えられている。パート３以降は改称されていない。パートの名称入力は必須ではなく、ユーザの便宜に合わせて改称するか否かを決めれば良い。
【００１５】
楽器欄３２０は、そのパートにいずれの楽器を割り当てるかを示す。ユーザはポインタを操作し、プルダウン式のメニューを開いて、所望の楽器を選択できる。図２では、パート１にギターが、パート２にピアノが割り当てられている。また、パート３の楽器を選択している様子が示されており、プルダウンメニューが開かれている。
【００１６】
各パートに楽器を割り振った後、ユーザは、各パートの演奏データの入力に移る。具体的には、ポインティングデバイスにより画面上のポインタ３５０を操作して、録音・停止ボタン３３０ａをクリックする。パート１のＭＩＤＩデータの入力が可能となり、ユーザが電子楽器１００を演奏すると、ＭＩＤＩデータに変換されたその演奏情報が電子楽器１００からコンピュータ２００に送られ、シーケンスソフトは、そのＭＩＤＩデータをコンピュータ２００の、パート１に対応する所定のメモリ領域に記録する。ユーザが停止ボタン３３０ａを再び押すと、記録処理が停止される。
【００１７】
このＭＩＤＩデータは演奏データ欄３４０ａに楽譜形式で表示される。併せてそのＭＩＤＩデータを再生した場合にどのような音が出るのかが波形で表示される。これによりユーザは、パート１の音データを視覚的に把握できる。ユーザは以上の操作を他のパートにも行って各パートのＭＩＤＩデータを記録していき、それらが組み合わさって、全体として一つの楽曲のＭＩＤＩデータとなる。
【００１８】
以上の通り、各パートに楽器を割り当て、各々の演奏データを入力することで、最終的には、複数の楽器の音色で表現される楽曲を作曲、編集することができる。このように、本システムによる作曲・編集は、主に録音・停止ボタンを押すためのポインタ３５０の操作と電子楽器１００の演奏の繰り返しである。このように、楽曲編集作業が、コンピュータの操作と電子楽器の演奏の繰り返しであるというのは、本実施形態の編曲システムに限らず、ＤＴＭ一般において見られる現象である。
【００１９】
図３は、電子楽器１００の構成を示すブロック図である。電子楽器１００は、切替部１１０と、パネルセンサコントローラ１２０と、送信部１３０と、変換部１４０と、入力部１５０と、ＭＩＤＩデータ生成部１６０と、形式変更部１７０を備える。切替部１１０はパネルセンサコントローラ１２０で取得する二次元位置情報を二つの用途の間で切り替えるべくモードの切替を行なう。「第１のモード」では、コンピュータ２００がディスプレイ３００に表示するポインタの操作に二次元位置情報を利用する。すなわち、パネルセンサコントローラ上のユーザの指の移動にしたがって、ディスプレイ３００上のポインタが移動する。「第２のモード」では、ＭＩＤＩデータへのエフェクト付与に二次元位置情報が利用される。エフェクト付与については後述する。
【００２０】
パネルセンサコントローラ１２０は、ユーザの指の接触を感知して、二次元位置情報を取得する。取得した二次元位置情報は切替部１１０での設定にしたがって、第１のモードの場合は送信部１３０に送られ、第２のモードの場合は変換部１４０に送られる。送信部１３０は、第１のモードの場合にパネルセンサコントローラ１２０から送られるポインタ操作用の二次元位置情報をＵＳＢ（Ｕｎｉｖｅｒｓａｌ  Ｓｅｒｉａｌ  Ｂｕｓ）ケーブルによりコンピュータ２００へと送る。コンピュータ２００のオペレーティングシステムは受け取った二次元位置情報に基づいて、ディスプレイ３００上のポインタの移動等を行なう。また、送信部１３０は、後述の形式変更部１７０から送られる、ＵＳＢでの送信用に信号形式が変更されたＭＩＤＩデータも、コンピュータ２００へと送信する。
【００２１】
変換部１４０は、第２のモードの場合にパネルセンサコントローラ１２０から送られる二次元位置情報をエフェクト情報に変換する。エフェクト情報とは、ＭＩＤＩデータに基づいて再生される音声にいかなるエフェクトをかけるべきかを示す情報である。変換は、パネルセンサコントローラのＸ軸、Ｙ軸のそれぞれに対応するエフェクトを、図示しないボタン等の入力機器を介してユーザが予め指定したテーブル（不図示）を参照して行なえばよい。例えば、Ｘ軸に「ディストーション」、Ｙ軸に「エコー」のエフェクトをユーザが予め設定している場合、パネルセンサコントローラで検出された二次元位置情報のＸ軸上の変化量分だけ、ディストーションのエフェクトをかけ、Ｙ軸上の変化量分だけ、エコーのエフェクトをかけることを示すエフェクト情報が、変換部１４０で生成される。エフェクト情報は、ＭＩＤＩデータ生成部１６０へと送られる。
【００２２】
入力部１５０は、鍵盤に相当する。ユーザが演奏した演奏情報を取得し、これをＭＩＤＩデータ生成部１６０へと送る。ＭＩＤＩデータ生成部１６０は、演奏情報からＭＩＤＩデータを生成する。併せて、変換部１４０からエフェクト情報が送信されている場合には、エフェクト情報を含めてＭＩＤＩデータを生成する。エフェクト情報は、例えばＭＩＤＩ音源への指示であればよく、ＭＩＤＩデータをＭＩＤＩ音源を介して再生する際に所望のエフェクトをかけることができる。生成されたＭＩＤＩデータは形式変更部１７０へと送られる。
【００２３】
形式変更部１７０は、ＭＩＤＩデータをＵＳＢ経由での送信に適する形式に変更して送信部１３０へ送る。これを送信部１３０がコンピュータ２００に送るのは既述の通りである。
【００２４】
本実施形態における電子楽器１００には、二次元位置情報を利用するエフェクタと、ポインティングデバイスとを組合せた、用途の切替可能なパネルセンサコントローラ１２０が内設されている。従って、電子楽器とエフェクタとマウス等を全て別々の構成とし、コンピュータに接続する場合よりも省スペース、省配線が実現できている。さらには、既述のごとく、コンピュータ２００の操作、より特定すればコンピュータ２００が提供するディスプレイ３００上のポインタ３５０の操作と電子楽器１００の演奏を繰り返すというＤＴＭでの作曲・編曲において、演奏情報を入力するための鍵盤とカーソル操作用のコントローラが電子楽器として一体化し、近接して配置されていれば、ユーザが鍵盤上の手をポインティングデバイスに伸ばすという動作が不要になり、効率が良い。また、形式変更部１７０を設けて、一本のＵＳＢケーブルで、ポインタの操作とＭＩＤＩデータの送信を実現しているため、コンピュータ２００との接続経路の簡略化を実現している。なお、形式変更部１７０は必須の構成要素ではなく、電子楽器１００とコンピュータ２００の接続経路は複数であっても良い。すなわち、ポインタ操作のための二次元位置情報はＵＳＢケーブルでコンピュータ２００へ送り、ＭＩＤＩデータはＭＩＤＩインタフェイスを利用してコンピュータ２００へ送信する構成であっても良い。
【００２５】
図１に示すように、本実施形態ではパネルセンサコントローラ１２０は右利きのユーザの便宜を考え電子楽器１００の右側に配置されている。この電子楽器１００によれば、ユーザは、エフェクトを与えながらのＭＩＤＩデータの記録を、録音開始から終了まで両手の位置を大幅に変えることなく行なうことができる。即ち、第１のモードに設定されていたパネルセンサコントローラ１２０によって右手でディスプレイ３００上のカーソルを操作して、録音開始したあと、左手で演奏しつつ、右手はコントローラ１２０をエフェクタモードに切り替えて、演奏中のデータにエフェクトをかけることができる。コントローラ１２０の配置は、ユーザの利き腕や嗜好により定めれば良い。
【００２６】
図４は、ユーザによるパネルセンサコントローラ１２０の操作に関連する、本実施形態の電子楽器１００の動作を示すフローチャートである。ユーザがパネルセンサコントローラ１２０をタッチ操作すると、パネルセンサコントローラ１２０はユーザの指の接触を感知し、二次元位置情報を取得する（Ｓ１０）。パネルセンサコントローラ１２０は、切替部１１０によっていずれのモードが選択されているかを確認する（Ｓ１２）。第１のモードが選択されている場合（Ｓ１２のＡ）、二次元位置情報は送信部１３０へ送られ、その後コンピュータ２００へと送られる（Ｓ２０）。
【００２７】
第２のモードが選択されている場合（Ｓ１２のＢ）、二次元位置情報は変換部１４０へと送られ、エフェクト情報へ変換される（Ｓ１４）。エフェクト情報は、ＭＩＤＩデータ生成部１６０へ送られ、入力部１５０で入力された演奏情報と、エフェクト情報からＭＩＤＩデータが生成される（Ｓ１６）。形式変更部１７０において、ＵＳＢケーブルでの送信に適するようにＭＩＤＩデータの信号形式を変更し（Ｓ１８）、コンピュータ２００へと送信する（Ｓ２０）。
【００２８】
以上、実施の形態をもとに本考案を説明した。なお、本考案はこの実施の形態に限定されることなく、そのさまざまな変形例もまた、本考案の態様として有効である。例えば、ＭＩＤＩデータに対するエフェクトの付与は、電子楽器１００ではなく、コンピュータ２００においてソフトウエア的に行なっても良い。その場合、パネルセンサコントローラ１２０で取得された二次元位置情報は、第２のモードが選択されている場合であっても、送信部１３０からコンピュータ２００へと送られ、コンピュータ２００がそれに基づいてエフェクト情報を生成し、別途電子楽器から送られているＭＩＤＩデータに所定のエフェクトをかけても良い。その場合、さらに、送信部１３０からコンピュータ２００に送られる信号には、第１のモードに係るポインタ操作のための信号であるのか、第２のモードに係るエフェクト用の信号であるのかを識別する信号を付すよう構成しても良い。
【図面の簡単な説明】
【００２９】
【図１】本考案の一実施形態に係る楽曲編集システムの外観図である。
【図２】図１のディスプレイに表示される画面の例を示す図である。
【図３】図１の電子楽器の構成図である。
【図４】図１の電子楽器の処理を示すフローチャートである。
【符号の説明】
【００３０】
１００  電子楽器、１１０  切替部、１２０  パネルセンサコントローラ、１３０  送信部、１４０  変換部、１５０  入力部、１６０  ＭＩＤＩデータ生成部、１７０  形式変更部、２００  コンピュータ、３００  ディスプレイ、４００  キーボード。
【図１】
0003113777.tif 000003
【図２】
0003113777.tif 000004
【図３】
0003113777.tif 000005
【図４】
0003113777.tif 000006
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
演奏情報を入力するための入力部と、
前記演奏情報から楽曲データを生成する楽曲データ生成部と、
操作者のタッチ操作により二次元位置情報を取得する平面状のパネルセンサと、
前記二次元位置情報の用途を、前記情報端末の操作のための第１の用途と、前記楽曲データのパラメータ設定のための第２の用途の間で切り替える切替部と、
前記第２の用途が選択された場合に、前記二次元位置情報を、前記パラメータ設定のためのパラメータ情報に変換する変換部と、
情報端末へ前記楽曲データまたは前記二次元位置情報の少なくともいずれか一方を送信する送信部と、
を備えることを特徴とする電子楽器。
【請求項２】
前記楽曲データの信号形式を、前記二次元位置情報を前記情報端末の操作に用いるときの信号形式と同一の信号形式に変更する信号形式変更部をさらに備えることを特徴とする請求項１に記載の電子楽器。